(57)【特許請求の範囲】
【請求項１】
壁面に備えつけられる取付板と、
前記取付板に取り付けられる背面パネルと、
前記背面パネルに固定された電動送風機と、
前記電動送風機の吸い込み口に連通する吸込グリルと、
前記電動送風機の吹き出し口側に設けられたヒーターと、
前記ヒーターにより加熱した気流を吹き出す吐出口とを備え、
前記背面パネルと前記電動送風機と前記ヒーターは前面パネルで覆われており、
前記吹き出し口から前記吐出口の間の吹き出し風路の一部の内壁面を前記吹き出し口よりも前記背面パネル方向と前記前面パネル方向に拡大して拡大風路とし、前記拡大風路の前記内壁面と前記ヒーターとの間に離隔距離を確保して副風路を設けたヒーター付きエアカーテン。
【請求項２】
前記ヒーターは長方形形状であり、前記ヒーターの長辺側に対向して前記離隔距離を確保して前記副風路を設けた請求項１記載のヒーター付きエアカーテン。
【請求項３】
前記ヒーターの長辺の方向と前記電動送風機の回転軸方向が平行となるよう前記電動送風機を配置した請求項１または２記載のヒーター付きエアカーテン。
【請求項４】
前記ヒーターは複数の放熱プレートから構成し、前記複数の放熱プレート間の間隔の中で最大の間隔よりも前記離隔距離を大きくした請求項１〜３のいずれか１項に記載のヒーター付きエアカーテン。
【請求項５】
前記ヒーターの枠板は、金属または熱伝導率が１０Ｗ／ｍＫ以上の材料を用いた請求項１〜４のいずれか１項に記載のヒーター付きエアカーテン。
【請求項６】
前記ヒーターはＰＴＣヒーターである請求項１〜５のいずれか１項に記載のヒーター付きエアカーテン。
【発明の詳細な説明】
【技術分野】
【０００１】
本発明は、ヒーター付きエアカーテンに関する。
【背景技術】
【０００２】
エアカーテンは、カーテン状の気流により外気を遮断する事で、室内の冷暖房した熱を逃げにくくしたり、外部からの埃の侵入を遮断したりするため、食料品店やレストランの出入り口等において使用される。また、エアカーテンでは、冬季や寒冷地において使用された場合に、気流が人に当たった際の冷風感の低減のため、ニクロム線ヒーターやシーズヒーター、セラミックヒーター等のヒーターを製品内部に設け、気流を加熱させている事がある。
【０００３】
従来のヒーター付きエアカーテンとしては、ヒーターを取り付けた格子状の枠を吹き出し風路に設置することで、気流を加熱するものが知られている。（例えば、特許文献１参照）。
【０００４】
以下、従来のヒーター付きエアカーテンの側面断面の概略図である図４を参照しながら説明する。図４に示すように、従来のヒーター付きエアカーテンは、電動送風機１０１とヒーター１０２を有している。電動送風機１０１は、風路を構成するガイドウォール１０３とスタビライザー１０４との間に備えられている。ヒーター１０２は、電熱帯１０９と格子状の吹き出し風路枠１０５によって構成され、電熱帯１０９は吹き出し風路枠１０５によって保持されている。吹き出し風路枠１０５はガイドウォール１０３とスタビライザー１０４に接続されるように固定されている。電動送風機１０１が運転されると、前面パネル１０６に設けられた吸い込み口１０７より気流が流入し、ガイドウォール１０３とスタビライザー１０４に沿って流れ、ヒーター１０２にて加熱された後、カーテン状の気流となって、吹き出し風路の内壁面１１０の間の吹出口１０８から送出される。
【先行技術文献】
【特許文献】
【０００５】
【特許文献１】特開２００１−１１６３１８号公報
【発明の概要】
【発明が解決しようとする課題】
【０００６】
このような従来のヒーター付きエアカーテンでは、電動送風機の吹き出し口と連通した吹き出し風路の断面はヒーターの最外形とほぼ同寸としている。そのため、吹き出し風路の内壁面とヒーターが近接し、電動送風機の吸い込み口から吸い込まれたごみは、ヒーターの気流流入側の風路面に堆積して目詰まりし易くなり、頻繁に風路内のメンテナンスを行わないと風が出にくくなるという課題があった。
【０００７】
そこで本発明は、上記従来の課題を解決するものであり、吹き出し風路の内壁面とヒーターの間に離隔距離を確保して副風路を設けることで、風路内のメンテナンスの頻度を抑えたヒーター付きエアカーテンを提供することを目的とする。
【課題を解決するための手段】
【０００８】
そして、この目的を達成するために、本発明は、壁面に備えつけられる取付板と、前記取付板に取り付けられる背面パネルと、前記背面パネルに固定された電動送風機と、前記電動送風機の吸い込み口に連通する吸込グリルと、前記電動送風機の吹き出し口側に設けられたヒーターと、前記ヒーターにより加熱した気流を吹き出す吐出口とを備え、前記背面パネルと前記電動送風機と前記ヒーターは前面パネルで覆われており、前記吹き出し口から前記吐出口の間の吹き出し風路の内壁面と前記ヒーターとの間に離隔距離を確保して副風路を設けたものであり、これにより所期の目的を達成するものである。
【発明の効果】
【０００９】
本発明によれば、壁面に備えつけられる取付板と、前記取付板に取り付けられる背面パネルと、前記背面パネルに固定された電動送風機と、前記電動送風機の吸い込み口に連通する吸込グリルと、前記電動送風機の吹き出し口側に設けられたヒーターと、前記ヒーターにより加熱した気流を吹き出す吐出口とを備え、前記背面パネルと前記電動送風機と前記ヒーターは前面パネルで覆われており、前記吹き出し口から前記吐出口の間の吹き出し風路の一部の内壁面を前記吹き出し口よりも前記背面パネル方向と前記前面パネル方向に拡大して拡大風路とし、前記拡大風路の前記内壁面と前記ヒーターとの間に離隔距離を確保して副風路を設けたことにより、副風路に向かって吹き出し気流が流れ、風路を確保しつつごみを副風路に向かって吹き出すことで、ごみによるヒーターの目詰まりを抑制できるという作用を有するので、風路内のメンテナンスの頻度を抑えることができるという効果を得ることができる。
【図面の簡単な説明】
【００１０】
【図１】本発明の実施の形態１のヒーター付きエアカーテンの側面断面の概略図
【図２】同ヒーター付きエアカーテンの正面断面の概略図
【図３】同ヒーター付きエアカーテンの風路面の詳細図
【図４】従来のヒーター付きエアカーテンを示す側面断面の概略図
【発明を実施するための形態】
【００１１】
本発明に係るヒーター付きエアカーテンは、壁面に備えつけられる取付板と、前記取付板に取り付けられる背面パネルと、前記背面パネルに固定された電動送風機と、前記電動送風機の吸い込み口に連通する吸込グリルと、前記電動送風機の吹き出し口側に設けられたヒーターと、前記ヒーターにより加熱した気流を吹き出す吐出口とを備え、前記背面パネルと前記電動送風機と前記ヒーターは前面パネルで覆われており、前記吹き出し口から前記吐出口の間の吹き出し風路の一部の内壁面を前記吹き出し口よりも前記背面パネル方向と前記前面パネル方向に拡大して拡大風路とし、前記拡大風路の前記内壁面と前記ヒーターとの間に離隔距離を確保して副風路を設けたことを特徴としたものである。
【００１２】
この構成によれば、副風路に向かって吹き出し気流が流れ、風路を確保しつつごみを副風路に向かって吹き出すことで、ごみによるヒーターの目詰まりを抑制できるため、風路内のメンテナンスの頻度を抑えることができるという効果を奏する。
【００１３】
また、前記ヒーターは長方形形状であり、前記ヒーターの長辺側に対向して前記離隔距離を確保して前記副風路を設けていることが好ましい。
【００１４】
この構成によれば、ヒーターの長辺側に副風路を設けていることにより、副風路の分の風路断面積の増加が大きく、また吹き出し気流が副風路に向かって幅広く流入しやすいことで、ヒーターの目詰まりを抑制できるため、メンテナンスの頻度を抑えることができるという効果を奏する。
【００１５】
また、ヒーターの長辺の方向と電動送風機の回転軸方向が平行となるよう前記電動送風機を配置することが好ましい。
【００１６】
この構成によれば、回転軸方向に垂直に吹き出される前記電動送風機の吹き出し気流は、ヒーターの長辺方向と垂直に流入することにより、吹き出し気流が副風路に向かって流入しやすいことで、ヒーターの目詰まりを抑制できるためメンテナンスの頻度を抑えることができるという効果を奏する。
【００１７】
また、前記ヒーターは複数の放熱プレートから構成し、前記複数の放熱プレート間の間隔の中で最大の間隔よりも前記離隔距離を大きくすることが好ましい。
【００１８】
この構成によれば、吹き出し気流が副風路に向かって流入しやすいことで、ヒーターの目詰まりを抑制できるため、メンテナンスの頻度を抑えることができるという効果を奏する。
【００１９】
また、前記ヒーターの枠板は、金属または熱伝導率が１０Ｗ／ｍＫ以上の材料を用いることが好ましい。
【００２０】
この構成によれば、前記枠板からの放熱により、前記副風路を通過する気流が加熱されることで、前記ヒーターを通過する風量が減ることによる気流温度の低下を抑制できるため、冷風感を低減することができるという効果を奏する。
【００２１】
また、前記ヒーターはＰＴＣヒーターであることが好ましい。
【００２２】
この構成によれば、ＰＴＣヒーターによる圧力損失が生じても、副風路により圧力損失を低減できるため、温度上昇飽和特性での安全面や低消費電力化の観点で優れたＰＴＣヒーターを使用することができるため、安全性を向上させながら低消費電力にできるという効果を奏する。
【００２３】
以下、本発明の実施の形態について、図面を参照しながら説明する。
【００２４】
（実施の形態１）
図１は本発明の実施の形態のヒーター付きエアカーテンの側面断面の概略図、図２は同ヒーター付きエアカーテンの正面断面の概略図である。
【００２５】
図１および図２に示すように、ヒーター付きエアカーテンは、壁面１に備えつけられる取付板２と、取付板２に取り付けられる背面パネル３と、電動送風機４と、ヒーター８とを備えている。ここで、取付板２と背面パネル３は引っ掛け爪１１による嵌合構造で取り付けられ、一部を例えばネジ５０による締結として脱落を防止している。
【００２６】
電動送風機４はモーター２１、羽根車２２、ケーシング２３、軸２４とで構成され、背面パネル３と固定される。また、ヒーター８は電動送風機４の吹き出し口７の側に設けられ、背面パネル３と電動送風機４とヒーター８は前面パネル１０で覆われている。前面パネル１０には吸込グリル６が設けられる。
【００２７】
電動送風機４を運転すると、電動送風機４の吸い込み口５に連通する吸込グリル６から気流が流入する。流入した気流は電動送風機４にて昇圧され、ヒーター８にて加熱された後、吐出口９から送出される。
【００２８】
ここで、吸込グリル６の位置は、製品の上面に配置した方が、吸込気流の気流音や電動送風機４の運転音が外部に漏れる事を抑制できるため、騒音低減の観点から好ましく、また、製品設置時に吸込グリル６が見えにくくなるため、意匠上の観点でも好ましい。
【００２９】
また、電動送風機４は、外気の遮断効果を高める目的で、吐出口９から送出される気流の速度を高めて、気流の到達距離を長くできるため、羽根車２２にシロッコファンを使用する事が好ましい。しかし、電動送風機４としてクロスフローファンなどの羽根車形状の送風機を用いてもよい。
【００３０】
図３に同ヒーター付きエアカーテンの吐出口９からヒーター８に向かって見た時の風路面の詳細図を示す。ヒーター８は、発熱体７０（例えば電熱帯や発熱素子など）と複数枚の放熱プレート７４と枠板７３とで構成されている。枠板７３はヒーター風路面７５を確保するように放熱プレート７４を囲っている。発熱体７０により発生した熱を放熱プレート７４から放熱し、放熱プレート７４の間を通過する気流を加熱する構造である。放熱プレート７４は金属（アルミニウムなど）または熱伝導率の高い材料が用いられる。なお、ヒーター８にはニクロム線ヒーターやシーズヒーター、ＰＴＣヒーターなどのヒーターが用いられる。ＰＴＣとは正温度特性（Ｐｏｓｉｔｉｖｅ  Ｔｅｍｐｅｒａｔｕｒｅ  Ｃｏｅｆｆｉｃｉｅｎｔ）のことである。
【００３１】
吹き出し口７から吐出口９の間の吹き出し風路１２にヒーター８が配置されている。吹き出し風路１２の内壁面１５とヒーター８との間には、離隔距離１８を確保し、ヒーター８（ヒーター風路面７５）を通過する主風路とは別に、離隔距離１８を通過する副風路１９を設けている。
【００３２】
上記構成により、副風路１９に向かって吹き出し気流６１が流れることにより、風路を確保しつつごみ６２を副風路１９に向かって吹き出すことで、ごみ６２によるヒーター８の目詰まりを抑制できる。すなわち、電動送風機４の吸い込み口５から吸い込まれたごみ６２がヒーター８の気流流入側の風路面に堆積しにくくすることができる。
【００３３】
なお、図１では、離隔距離１８を確保するため、吹き出し風路１２の一部を拡大風路８１としているが、吹き出し風路１２を直線風路とし、ヒーター８の大きさを小さくすることで、離隔距離１８を確保して副風路１９を設けた場合でも、同様の効果を得られる。
【００３４】
ここで、吸込グリル６の位置を製品の上面に配置している場合、上方から落下するごみを吸込みやすいという点からも、本実施形態によるヒーター８の気流流入側のごみの堆積の抑制はさらに有効なものとなる。
【００３５】
また、ヒーター８は長方形形状であり、ヒーター８の長辺７２側に対向して離隔距離１８を確保して副風路１９を設けていることが好ましい。
【００３６】
上記構成により、ヒーター８の短辺７６側に対向して離隔距離を確保するよりも、副風路１９の風路断面積の増加が大きく、また吹き出し気流６１が副風路１９に向かって幅広く流入しやすいことで、ヒーター８の目詰まりを効率よく抑制できる。
【００３７】
また、ヒーター８の長辺７２の方向と電動送風機４の回転軸方向（軸２４の方向）が平行となるよう電動送風機４を配置していることが好ましい。
【００３８】
上記構成により、回転軸方向に垂直に吹き出される電動送風機４の吹き出し気流６１は、ヒーター８の長辺方向と垂直に流入し、吹き出し気流６１が副風路１９に向かって流入しやすいことで、ヒーター８の目詰まりを抑制できる。
【００３９】
また、ヒーター８は複数の放熱プレート７４から構成し、複数の放熱プレート７４間の間隔７１の中で最大の間隔よりも離隔距離１８を大きくしていることが好ましい。ここで、複数の放熱プレート７４の間隔７１の中での最大の間隔に対して離隔距離１８は１．５倍〜１０倍とした方が、ヒーター８（ヒーター風路面７５）を通過する風量が減ることによる気流温度の低下を抑制しながら、ごみ６２がヒーター８の気流流入側の風路面に堆積しにくくすることができるため有効である。なお、１０倍以上とした場合でも、メンテナンス性を高める点では有効である。
【００４０】
上記構成により、吹き出し気流６１が副風路１９に向かって流入しやすいことで、ヒーター８の目詰まりを抑制できる。
【００４１】
また、ヒーター８の枠板７３は、金属（例えばアルミニウムなど）または熱伝導率が１０Ｗ／ｍＫ以上の材料を用いることが好ましい。
【００４２】
上記構成により、枠板７３からの放熱により、副風路１９を通過する気流が加熱されることで、ヒーター８（ヒーター風路面７５）を通過する風量が減ることによる気流温度の低下を抑制できる。言い換えれば、副風路１９を通過する気流も枠板７３により加熱されるので吐出口９から吐き出される気流の温度を上昇させることができる。
【００４３】
また、ヒーター８は温度上昇飽和特性での安全面や低消費電力化の観点から、発熱体７０にＰＴＣサーミスタを用いたＰＴＣヒーターを使用する方が好ましい。ＰＴＣヒーターの放熱プレート７４の間隔７１は、例えば０．５ｍｍ〜３ｍｍ程度で構成されて狭い場合が多く、ＰＴＣヒーターを通過する気流に圧力損失が生じてしまう。
【００４４】
副風路１９を設けた構成によれば、ＰＴＣヒーターによる圧力損失が生じても、副風路１９により圧力損失を低減できる。そして、圧力損失を低減しつつ、温度上昇飽和特性での安全面や低消費電力化の観点で優れたＰＴＣヒーターを使用することができる。特に、ＰＴＣヒーターの放熱プレート７４の間隔７１の中で最大の間隔よりも離隔距離１８を大きくすることがさらに好ましい。この構成により、安全性を確保しつつ、十分な風量も確保することができる。
【００４５】
このように本発明の実施の形態１のヒーター付きエアカーテンによれば、風路内のメンテナンス頻度を抑えながら、気流温度の低下を抑えることができることとなる。
【００４６】
本実施例では、１台の製品にモーター２１を１個と羽根車２２を２個とした組み合わせとして搭載しているが、羽根車を１個としたり、モーターを２個以上搭載をするなど、モーター２１と羽根車２２の組み合わせ数量にかかわらず同様の効果が得られる。組み合わせ数量（モーター２１の個数×羽根車２２の個数）が多いほど、ヒーター８の数量も増える傾向があるが、ヒーター８の数量が多いほど、本発明は風路内のメンテナンス性向上にさらに有効である。
【産業上の利用可能性】
【００４７】
本発明のヒーター付きエアカーテンは建物入り口の外気の遮断目的以外に、ヒーターを内蔵した送風機器への転用により、物体を乾燥させるための工業用の乾燥用途にも適用できる。
【符号の説明】
【００４８】
１  壁面
２  取付板
３  背面パネル
４  電動送風機
５  吸い込み口
６  吸込グリル
７  吹き出し口
８  ヒーター
９  吐出口
１０  前面パネル
１１  引っ掛け爪
１２  吹き出し風路
１５  内壁面
１８  離隔距離
１９  副風路
２１  モーター
２２  羽根車
２３  ケーシング
２４  軸
５０  ネジ
６１  吹き出し気流
６２  ごみ
７０  発熱体
７１  間隔
７２  長辺
７３  枠板
７４  放熱プレート
７５  ヒーター風路面
７６  短辺
８１  拡大風路
【図１】
0006471351.tif 000002
【図２】
0006471351.tif 000003
【図３】
0006471351.tif 000004
【図４】
0006471351.tif 000005